(57)【要約】【解決手段】ワイヤレス電話機（２０）を外部回路（２２）に接続するシステム。システムはワイヤレス電話機に接続された第１の光データインターフェイスアダプタ（４２）を含む。システムは第２の光データインターフェイスアダプタ（２４）も含む。光ファイバケーブル（２８）は第１の光データインターフェイスアダプタ（４２）を第２の光データインターフェイスアダプタ（２４）に接続する。特定の実施形態では、ワイヤレス電話機セルラ電話機（２０）であり、コンピュータ（２２）は第２の光データインターフェイスアダプタ（２４）に接続される。第１および第２の光データインターフェイスアダプタ（４２、２４）は光送信機（５６、５４）と光検出器（５８、５２）を含む。
2004500746.tif 000002
【特許請求の範囲】
【請求項１】
ワイヤレス電話機を外部回路に接続するシステムにおいて、
前記ワイヤレス電話機とともに使用するように適合され、前記ワイヤレス電話機に接続された第１の光データインターフェイスアダプタと、
前記回路に接続された第２の光データインターフェイスアダプタと、
前記第１の光データインターフェイスアダプタを前記第２の光データインターフェイスアダプタに接続する光ファイバケーブルとを具備するシステム。
【請求項２】
前記ワイヤレス電話機はセルラ電話機である請求項１記載のシステム。
【請求項３】
前記電気回路はコンピュータである請求項１記載のシステム。
【請求項４】
前記第１および第２の光データインターフェイスアダプタは光送信機および光検出器を含む請求項１記載のシステム。
【請求項５】
コンピュータとワイヤレス電話機との間で情報を送信するシステムにおいて、
前記コンピュータと前記ワイヤレス電話機との間の光データインターフェイスリンクと、
前記コンピュータ上で実行し、前記コンピュータと前記ワイヤレス電話機との間の情報の流れを制御するソフトウェアとを具備するシステム。
【請求項６】
コンピュータからワイヤレス電話をかけるシステムにおいて、
ワイヤレス電話機と、
前記ワイヤレス電話機外部のコンピュータと、
前記ワイヤレス電話機と前記コンピュータとの間の光データリンクと、
前記コンピュータが前記ワイヤレス電話機を通して電話をかけることができるように、前記光データリンクを通して前記ワイヤレス電話機を制御し、前記コンピュータ上で実行するソフトウェアとを具備するシステム。
【請求項７】
前記ワイヤレス電話機は前記ワイヤレス電話機に対する電話データインターフェイスアダプタを含み、前記コンピュータは前記コンピュータに対するコンピュータデータインターフェイスアダプタを含む請求項６記載のシステム。
【請求項８】
前記光データリンクは前記ワイヤレス電話データインターフェイスアダプタを前記コンピュータデータインターフェイスアダプタに接続する光ファイバケーブルを含む請求項６記載のシステム。
【請求項９】
前記電話データインターフェイスアダプタと前記コンピュータデータインターフェイスアダプタはそれぞれ送信機と光検出器とを含む請求項７記載のシステム。
【請求項１０】
ワイヤレス電話機に対する性能測定を行うシステムにおいて、
前記ワイヤレス電話機に光学的に接続され、前記ワイヤレス電話機とコンピュータとの間で情報を送信するコンピュータと、
前記ワイヤレス電話機に関する周波数変調情報が前記コンピュータにより獲得されるように前記情報を制御し、前記コンピュータ上で実行する測定ソフトウェアとを具備するシステム。
【請求項１１】
コンピュータとワイヤレス電話機との間の通信を促進する方法において、
ユーザにより前記コンピュータに入力されるユーザ要求および／またはコマンドを待ち、
前記コンピュータによるユーザ要求および／またはコマンドの受け取りに応答して、前記コンピュータと前記ワイヤレス電話機との間の光インターフェイスを通して前記コンピュータと前記ワイヤレス電話機との間の通信を開始し、
前記光インターフェイスを通して前記コンピュータから受け取った前記ユーザ要求および／またはコマンドの受け取りに応答して、前記ワイヤレス電話機上で実行されるソフトウェアを通して前記要求および／またはコマンドを処理するステップを含む方法。
【発明の詳細な説明】
【０００１】
【発明の属する技術分野】
本発明はワイヤレス通信システムに関する。特に、本発明はワイヤレス電話機と他の電子装置との間でデータを伝送するシステムおよび方法に関する。
【０００２】
【従来の技術】
多くの携帯電話機はコンピュータを使用して制御され、そして応答指令信号を受けることができる。多くのケースでは、コンピュータは電話機の情報をセットし、あるいは現在のステータス、状態またはレベルを引き出すことができる。したがって、多くの測定値はテスト下においてコンピュータ上で実行される特殊電話テストソフトウェアをセルラ電話機にリンクさせることにより取ることができる。
【０００３】
標準シリアルコンピュータケーブルのような従来の金属導体ケーブルがセルラ電話機をコンピュータに接続されるために一般的に使用される。しかしながら、ケーブルが電話機とコンピュータとの間に接続されるとき、ケーブルはセルラ電話機の放射性能を低下させることが多い。一般的に、データケーブルがセルラ電話機に接続されるとき、データケーブルは内部電話グランドに接続され、これは電話機のアンテナ放射パターンを乱し、その性能を顕著に低下させる。さらなる性能低下はケーブルから出される無線周波数（ＲＦ）干渉から生じる。
【０００４】
要するに、既存の有線データケーブルはセルラおよびパーソナル通信システム（ＰＣＳ）電話機の放射性能を低下させることが多い。結果として、電話ＦＭ測定値を取るために高価な音響装置が要求されることが多い。
【０００５】
赤外線データリンクはワイヤレス電話機に対するデータリンクを提供する代替方法である。一般的に、赤外線エネルギは電話機上の赤外線センサとコンピュータアタッチメント上の赤外線センサとの間をケーブルなしで送信される。しかしながら、データリンクの性能は明るい日光により低下する。これはアウトドア電話テスト環境において問題がある。さらに、赤外線データリンクは電話機と関連外部コンピュータとの間に位置する物体のためにブロックされ易い。さらに、テレビ遠隔制御装置のような他の赤外線装置からの外部電磁気信号は大きな干渉を生じさせることがあり、これは赤外線データリンクの性能を低下させる。
【０００６】
【発明が解決しようとする課題】
したがって、電話機の性能低下を最小にして、ワイヤレス電話機とコンピュータのような外部回路との間でデータを送るための有効なシステムおよび方法に対する技術的な必要性が存在する。電磁気雑音により特徴付けられる環境において正確なセルラ／ＰＣＳ電話測定を促進する費用効果の良いシステムに対するさらなる必要性が存在する。
【０００７】
【課題を解決するための手段】
この技術的な必要性は、本発明のワイヤレス電話機を外部回路に接続するシステムにより取り扱われる。例示的な実施形態では、発明のシステムはセルラ電話機および外部コンピュータとともに使用するように適合される。発明のシステムはワイヤレス電話機とともに使用され、ワイヤレス電話機に接続されるように設計された第１の光データインターフェイスアダプタと、第２の光データインターフェイスアダプタとが含まれる。光ファイバケーブルは第１の光データインターフェイスアダプタを第２の光データインターフェイスアダプタに接続する。
【０００８】
特定の実施形態では、ワイヤレス電話機はセルラ電話機であり、コンピュータは第２の光データインターフェイスアダプタに接続される。第１および第２の光データインターフェイスアダプタは光送信機と光検出器とを含む。
【０００９】
代替実施形態では、本発明はワイヤレス電話機を通してコンピュータからワイヤレス電話をかけるシステムとして実現される。このシステムは外部コンピュータと、電話機とコンピュータとの間の光データリンクとを含む。コンピュータ上で実行されるソフトウェアは光データリンクを通してワイヤレス電話機を制御し、ワイヤレス電話機を通してコンピュータが電話をかけることができるようにする。
【００１０】
代わりに、本発明はワイヤレス電話機の測定値を取るシステムであり、ワイヤレス電話機に光学的に接続されたコンピュータを含む。コンピュータ上で実行される測定ソフトウェアは情報の流れを制御することから、ワイヤレス電話機に関する情報がコンピュータにより得られる。
【００１１】
本発明の新規な設計はコンピュータとの間でデータを光学的に送受信するための光ファイバケーブルの使用により促進される。送信の光学的性質は光ファイバケーブルを通して伝送されるデータ間の干渉と、ワイヤレス電話機により送受信される電磁気エネルギを減少または無くす。
【００１２】
【発明の実施の形態】
本発明は特定の応用に対する例示的な実施形態を参照してここでは説明されているが、本発明はこれに限定されるべきでないことを理解すべきである。ここに提供されている教示にアクセスする当業者はその範囲内および本発明が重要な利用性を有する付加的な領域内の付加的な変形、応用および実施形態を認識するであろう。
【００１３】
従来のセルラ電話データインターフェイスアダプタおよび関連ケーブルの動作に関する以下のレビューは本発明の理解を促進することを意図している。
【００１４】
図１は典型的なデータインターフェイスアダプタ１２に接続されたセルラ電話機１０と（示されていない）外部コンピュータに接続するための関連ケーブル１４の図である。アンテナ電流はケーブル１４に沿って流れ、ケーブル１４に沿ったデータ送信と干渉しやすく、電話アンテナシステムの放射パターンを変える。さらに、ケーブル１４内のデジタルビットストリームにより発生された雑音はセルラ電話機１０を通してのセルラ通信信号のワイヤレス送受信と干渉するかもしれない。
【００１５】
図２は本発明の教示にしたがって構成されたアレンジメントの図である。セルラ電話機２０とコンピュータ２２が、電話光ファイバデータインターフェイスアダプタ２４およびコンピュータ光ファイバデータインターフェイスアダプタ２６にそれぞれ取り付けられている。２つのアダプタは光ファイバケーブル２８と相互接続されている。アンテナ電流は電話光ファイバデータインターフェイスアダプタ２４においてそれて、光ファイバケーブル２８を渡るデータ送信と干渉しない。コンピュータ２２内のデジタル信号により発生された雑音はコンピュータ光ファイバデータインターフェイスアダプタ２６においてそれ、これは雑音がセルラ電話ワイヤレス信号の送受信と干渉するのを抑制または防ぐ。
【００１６】
光ファイバデータインターフェイスアダプタ２４および２６には、技術的に知られている（図示されていない）光検出器と送信機が含まれていてもよい。これらの装置は商業的に入手可能である。例えば、送信機はＳＦＨ７５０Ｖ送信機としてジーメンスから購入することができ、光検出器はジーメンスＳＦＨ５５１／１−Ｖ−１光検出器として購入することができる。光送信機は光ファイバケーブル２８を通して送信するために電気信号を光信号に変換するのを促進する。好ましい実施形態では、光ファイバケーブルは三菱ＥＨＶ４００２光ファイバケーブルである。
【００１７】
セルラ電話機に対するデータインターフェイスを提供する先のアプローチと異なり、本発明の独特な設計は、セルラ電話機のアンテナ放射パターンを乱れさせることなく、そしてコンピュータ電子回路とセルラ電話機の送受信との間に干渉を生じさせることなく、セルラ電話機２０とコンピュータ２２との間のデータ送信を促進する。結果として、本発明はコンピュータ２２用のモデムとしてセルラ電話機２０を使用することに関係する応用に対して理想的である。
【００１８】
この例示的な実施形態では、コンピュータ２２上で実行されるソフトウェアがセルラ電話機２０を制御するので、セルラ電話機はコンピュータモデムとして動作する。以下でさらに説明する付加的なソフトウェアがコンピュータ２２による実行のために提供され、電話機２０からデータを取って電話機２０の性能を測る。この教示にアクセスすると、以下でさらに詳細に説明するような付加的なソフトウェアを含むソフトウェアは、当業者により容易に開発され実現される。
【００１９】
図３はセルラ電話機２０とコンピュータ２２との間のワイヤレスデータインターフェイス４４を生成するための本発明のセルラ電話ワイヤレスデータインターフェイスアダプタ４０およびコンピュータワイヤレスデータインターフェイスアダプタ４２に取り付けられた図１のセルラ電話機２０およびコンピュータ２２の図である。アンテナ電流はセルラ電話ワイヤレスデータインターフェイスアダプタ４０においてそれ、コンピュータ２２内のデジタル信号により発生された雑音はコンピュータワイヤレスデータインターフェイスアダプタ４２においてそれる。ワイヤレスインターフェイス４４は図２の光ファイバケーブル２８に取って代わる。この例示的な実施形態では、ワイヤレスインターフェイスはジーメンスレーザ送信機を介するような光送信により、あるいはヒューレッドパッカードＩＲＤＡ赤外線トランシーバを通しての赤外線送信により実現される。
【００２０】
図４は図２のアレンジメントのさらに詳細なブロック図であり、電話光ファイバデータインターフェイスアダプタ２４とコンピュータワイヤレスデータインターフェイスアダプタ４２内のさまざまな電気構成部品を示している。このアレンジメントは左から右にコンピュータ２２，電話光ファイバデータインターフェイスアダプタ２４、光ファイバケーブル、コンピュータワイヤレスデータインターフェイスアダプタ４２、およびセルラ電話機２０が含まれている。
【００２１】
コンピュータ光ファイバデータインターフェイスアダプタ２４には、左から右に、トランジスタ−トランジスタ論理（ＴＴＬ）ドライバ５０に対するＲＳ−２３２と、これと並列な第１の光検出器５２および第１の光送信機５４とが含まれている。光ファイバケーブル２８は両方とも光データインターフェイスアダプタ４２中の、第１の光検出器５２を第２の送信機５６に接続し、第１の送信機５４を第２の光検出器５８に接続する。第２の送信機５６と光検出器５８は標準接続システムを通してセルラ電話機２０に接続されている。
【００２２】
この特定の実施形態では、光ファイバケーブル２８はデュプレックスプラスチック光ファイバケーブルである。ＴＴＬドライバ５０と第１の光検出器５２との間のインターフェイスとＴＴＬドライバ５０と第１の送信機５４との間のインターフェイスは技術的に知られている標準インターフェイスである。ＴＴＬドライバ５０はアナログデバイス社の部品番号ＡＤＭ２０２ＥＡＲＷ、デュアルＲＳ−２３２ドライバ／受信機により作られている。光検出器５２および５８はジーメンスＳＦＨ５５１／１−Ｖ−１プラスチック光ファイバ集積光検出器である。送信機５４および５６はジーメンスＳＦＨ７５０Ｖプラスチック光ファイバ送信機ダイオードである。デュプレックス光ファイバケーブル２８は三菱ＥＨＶ４００２　１０００ミクロン２プラスチック光ファイバケーブルである。
【００２３】
動作において、コンピュータ２２からセルラ電話機２０に向けられるべきＴＴＬデータはＴＴＬドライバ５０に送られ、このＴＴＬドライバ５０は標準的なシリアルバスドライバである。技術的に知られているように、ＴＴＬドライバ５０は２つの送信パスと２つの受信パスに対応することができる。ＴＴＬデータはＲＳ−２３２シリアル送信用にフォーマットされ、第１の送信機５４に送られる。第１の送信機５４は電気シリアルデータをシリアル光データに変換し、このシリアル光データは光ファイバケーブル２８を通して第２の光検出器５８に送信され、第２の光検出器５８ではこのシリアル光データは変換されて電気信号に戻され、その後セルラ電話機２０に送られる。セルラ電話機２０はその後（示されていない）ベースバンドチップ上の（示されていない）ベースバンドプロセッサのような回路を通して電気シリアルデータを処理する。
【００２４】
同様に、セルラ電話機２０からコンピュータ２２に送られるべきＴＴＬシリアルデータは第２の光送信機５６に向けられ、この第２の光送信機５６ではＴＴＬシリアルデータは光ＴＴＬシリアルデータに変換され、光ファイバケーブル２８を通して第１の光検出器５２に送られ、ここで検出されて電気ＴＴＬシリアルデータに変換される。電気ＴＴＬシリアルデータはＴＴＬドライバ５０に送られ、ここでＲＳ−２３２フォーマットに変換される。ＴＴＬデータはその後さらなる処理のためにコンピュータ２２に送られる。
【００２５】
ＴＴＬドライバ５０は本発明の範囲を逸脱することなく他のタイプのドライバに置換してもよい。またＴＴＬドライバ５０の位置は本発明の範囲を逸脱することなくセルラ電話光データインターフェイスアダプタ４２に切り換えてもよい。さらに本発明の範囲を逸脱することなく、インターフェイスアダプタ２４および４２中におよび／またはコンピュータ２２またはセルラ電話機２０内に他の付加的なドライバを含ませてもよい。
【００２６】
図５は本発明のデータインターフェイス（図２、３および４参照）を通してワイヤレス電話機とコンピュータとの間の通信（図２および３参照）を促進する本発明のソフトウェア７０のフロー図である。図２を参照すると、ソフトウェア７０にはコンピュータ２２中に存在しているルーチンとワイヤレス電話機２０内の（示されていない）ワイヤレス電話コンピュータ上に存在しているルーチンが含まれている。
【００２７】
最初のパワーチェックステップ７２では、コンピュータ２２上で実行されるソフトウェアは、ワイヤレス電話機２０がターンオンされているか否かをチェックする。ワイヤレス電話機２０がターンオンされていない場合には、ソフトウェア７０は終了する。ワイヤレス電話機２０がターンオンされている場合には、制御はコマンド待ちステップ７４に移される。
【００２８】
コマンド待ちステップ７４では、コンピュータ２２上で実行されるソフトウェアは、コンピュータ２２のユーザからデータに対する要求および／または他のユーザコマンドを待つ。コマンドおよび／または要求はキーボードまたはマウスまたはそれらの組み合わせのような通常の入力装置を通して入力してもよい。コマンド待ちステップ７４において、予め定められた時間の間にコマンドが入力されない場合には、ワイヤレス電話機２０はターンオフされ、あるいはユーザが終了コマンドを発行すると、ソフトウェア７０は終了する。さもなければ、コンピュータ２２上で実行されるソフトウェアがデータに対するユーザ要求および／または終了コマンド以外の他のコマンドを受け取った場合には、制御は通信ステップ７６に移される。
【００２９】
通信ステップ７６では、コンピュータ２２上で実行されるソフトウェアは（ワイヤレス電話コンピュータ上で実行されるソフトウェアにより）ワイヤレス電話機２０と通信を開始し、コマンド待ちステップ７４においてコンピュータ２２上で実行されるソフトウェアにより受け取られたコマンドおよび／または要求に基づいてワイヤレス電話機２０に適切なコマンドおよび／または要求を送信する。いったんワイヤレス電話機２０が光データインターフェイス２８を通してコマンドおよび／または要求を受け取ると、制御は処理ステップ７８に移される。処理ステップ７８では、ワイヤレス電話機２０上で実行されるソフトウェアルーチンは要求および／またはコマンドを処理して、その後に適切な応答をコンピュータ２２上で実行されるソフトウェアに返信する。通信を確立することを可能にし、要求および／またはコマンドを処理するためにワイヤレス電話機２０上で実行されるソフトウェアルーチンの詳細は、過度の実験をすることなく当業者により開発できる。いったんワイヤレス電話機２０上で実行されるソフトウェアルーチンが要求および／またはコマンドを処理すると、制御はコマンド待ちステップ７４に戻される。それによりステップ７４、７６および７８を含むループを形成し、このループは電話機がターンオフされるか、ユーザが終了コマンドを発行するか、あるいはソフトウェアルーチンがタイムアウトするときに終了する。
【００３０】
したがって、本発明は特定の応用に対する特定の実施形態を参照してここで説明した。この教示にアクセスする当業者は本発明の範囲内の付加的な変更、応用および実施形態を認識するであろう。
【００３１】
したがって、本発明の範囲内のこのような応用、変更および実施形態の任意のものおよびすべてのものを特許請求の範囲によりカバーすることが意図されている。
【図面の簡単な説明】
【図１】
図１は典型的なデータインターフェイスアダプタと外部コンピュータに接続するための関連ケーブルに接続されたセルラ電話機の図である。
【図２】
図２は本発明の教示にしたがって構成されたアレンジメントの図である。
【図３】
図３はセルラ電話機とコンピュータとの間のワイヤレスデータインターフェイスを生成する本発明の教示にしたがったワイヤレスデータインターフェイスアダプタに取り付けられた図２のアレンジメントの図である。
【図４】
図４はさまざまな電気的構成要素を示している図２のアレンジメントのさらに詳細なブロック図である。
【図５】
図５は図２、３および４のデータインターフェイスを通してワイヤレス電話機とコンピュータとの間の通信を促進する本発明のソフトウェアのフロー図である。
【図１】
2004500746.tif 000003
【図２】
2004500746.tif 000004
【図３】
2004500746.tif 000005
【図４】
2004500746.tif 000006
【図５】
2004500746.tif 000007
【国際公開パンフレット】
2004500746.tif 000008
2004500746.tif 000009
2004500746.tif 000010
2004500746.tif 000011
2004500746.tif 000012
2004500746.tif 000013
2004500746.tif 000014
2004500746.tif 000015
2004500746.tif 000016
2004500746.tif 000017
2004500746.tif 000018
2004500746.tif 000019
2004500746.tif 000020
2004500746.tif 000021
2004500746.tif 000022
2004500746.tif 000023
2004500746.tif 000024
【国際調査報告】
2004500746.tif 000025
2004500746.tif 000026